(57)【要約】【課題】  正面および側面からも明瞭に視認することができ、安全性に優れており、太陽電池を用いることによりメンテナンスが不要であり、如何なる場所にも取付けることができ、コストも低廉な工事用保安灯を提供すること。【解決手段】  保安灯本体２の内部に太陽電池９、発光体１０ａ〜１０ｅおよび発光制御部１１を有し、前記発光体１０ａ〜１０ｅからの光を前記保安灯本体２の正面側および側面側より出光させる出光用レンズ８ａ〜８ｅを有し、前記保安灯本体２にその下面側を取付け部材３に緊締索６をもって緊締する索保持部７を有することを特徴とする。【選択図】      図１
2006316428.tif 000002
【特許請求の範囲】
【請求項１】
保安灯本体の内部に太陽電池、発光体および発光制御部を有し、前記発光体からの光を前記保安灯本体の正面側および側面側より出光させる出光用レンズを有し、前記保安灯本体にその下面側を取付け部材に緊締索をもって緊締する索保持部を有することを特徴とする工事用保安灯。
【請求項２】
前記太陽電池は、蓄電部に発電電力を供給する発電パネル部を前記保安灯本体の上面側に配設して形成されていることを特徴とする請求項１に記載の工事用保安灯。
【請求項３】
前記出光用レンズは、前記保安灯本体を形成するケーシングと一体成形されていることを特徴とする請求項１または請求項２に記載の工事用保安灯。
【請求項４】
前記保安灯本体の裏面側には、前記取付け部材の形状に沿う凹部が形成されていることを特徴とする請求項１から請求項３のいずれか１項に記載の工事用保安灯。
【発明の詳細な説明】
【技術分野】
【０００１】
本発明は、工事用保安灯に係り、特にバリケード等の部材の夜間における視認性を向上させる工事用保安灯に関する。
【背景技術】
【０００２】
一般に、道路工事現場等においては、現場の境界を明示するバリケードを設置して工事を行うようにしている。このバリケードには種々の型式のものが用意されている。代表的なものとしては、いわゆるＡ型支持脚といわれる複数の支持脚の頂部の間に円筒状のパイプを掛け渡してクランプによって固定したものや、支持脚とパイプとを一体的に予め組立てたもの等が挙げられる。
【０００３】
そして、バリケード等の部材には、夜間に工事用保安灯を装着して、道路交通の安全性を確保したり、人が誤って危険部に侵入することを防止したりするようにしている。
【０００４】
この工事用保安灯としては、下部のクランプ部を前記パイプに固着し、そのクランプ部に上部の発光部を装着する方式のものが多用されている。
【０００５】
また、一体的に組立てられているバリケードにおいて、前記パイプ部に相当する部分に発光部を一体的に組み込んで形成したものも提案されている（特許文献１参照）。
【０００６】
【特許文献１】特開平０９−２９６４２２号公報
【発明の開示】
【発明が解決しようとする課題】
【０００７】
しかしながら、上述した下部のクランプ部と上部の発光部とを組立てる形式の工事用保安灯には、次のような問題点があった。
【０００８】
即ち、当該発光部は内蔵バッテリから発光ダイオード（ＬＥＤ）等の発光体に給電して発光させるものであるが、発光体からの点滅光を外部に出光させる発光ケーシングが５〜８ｃｍ程度の厚さを有する円盤状に形成されており、出光範囲が当該発光ケーシングの円形の前面および後面の範囲に限定されてしまうものであるために、当該前面若しくは後面に正面から対面する領域では点滅光を視認可能であるが、斜めから見る側面側になると点滅光を視認しにくくなるという問題点があった。更に、パイプに取付けるためのクランプ部は特殊構造をしており、コスト高の要因であった。また、クランプの構造に合わない場所には取付けることができないという問題点もあった。
【０００９】
また、発光部をパイプ部に一体的に組み込んだ場合には、発光部を移動させる場合にはバリケードと一緒に移動させる必要があり、使い勝手が悪いものであった。
【００１０】
本発明はこのような問題点に鑑みてなされたものであり、正面および側面からも明瞭に視認することができ、安全性に優れており、太陽電池を用いることによりメンテナンスが不要であり、如何なる場所にも取付けることができ、コストも低廉な工事用保安灯を提供することを目的とする。
【課題を解決するための手段】
【００１１】
前述した目的を達成するため本発明の工事用保安灯は、保安灯本体の内部に太陽電池、発光体および発光制御部を有し、前記発光体からの光を前記保安灯本体の正面側および側面側より出光させる出光用レンズを有し、前記保安灯本体にその裏面側を取付け部材に緊締索をもって緊締する索保持部を有することを特徴とする。
【００１２】
このように形成したことにより本発明によれば、保安灯本体の正面側および側面側に配設された出光用レンズにより保安灯本体の正面および側面において発光体からの光を明瞭に視認することができ、安全性が高められる。更に、太陽電池を用いて発光体に給電することができるために、電池交換等のメンテナンスが不要となる。更に、緊締索を保安灯本体の下面側の保持部に係合させて取付け部に緊締することによって取付けることができるために、如何なる場所にも自由に取付けて利用することができ、更に、特別なクランプ部材を用いないで取付けることができるために、全体構成が簡略化され、コストも低廉となる。
【００１３】
また、本発明においては、太陽電池を蓄電部に発電電力を供給する発電パネル部を保安灯本体の上面側に配設して形成するとよい。
【００１４】
これにより、保安灯本体の上面に配設された発電パネルによって太陽光を受けて十分な発電が行われて蓄電部に蓄電されることとなり、長期間に亘って発光体への給電が行われるので、電池交換等のメンテナンスが不要となる。
【００１５】
また、本発明においては、出光用レンズと保安灯本体を形成するケーシングとを一体成形して形成するとよい。
【００１６】
これにより、出光用レンズと保安灯本体とを１回の樹脂成形によって一体成型することができ、部品点数を削減することができ、構成が簡単となる。
【００１７】
また、本発明においては、保安灯本体の下面側に取付け部材の形状に沿う凹部を形成するとよい。
【００１８】
これによりバリケードに横架されているパイプに前記凹部を合わせるようにして保安灯本体を当接させ、緊締索をもって緊締することにより、保安灯本体をパイプに対して確実に不動状態にして装着することができる。
【発明の効果】
【００１９】
以上説明したように本発明の工事用保安灯によれば、保安灯本体の正面側および側面側に配設された出光用レンズにより保安灯本体の正面および側面の広い範囲において発光体からの光を明瞭に視認することができ、安全性が非常に高くなる。更に、太陽電池を用いて発光体に給電することができるために、電池交換等のメンテナンスが不要となる。更に、緊締索を保安灯本体の下面側の保持部に係合させて取付け部に緊締することによって取付けることができるために、如何なる場所にも自由に取付けて利用することができ、更に、特別なクランプ部材を用いないで取付けることができるために、全体構成が簡略化され、コストも低廉となる。
【００２０】
また、本発明は、保安灯本体の上面に配設された発電パネルによって太陽光を受けて十分な発電が行われて蓄電部に蓄電されることとなり、長期間に亘って発光体への給電が行われるので、電池交換等のメンテナンスを不要とさせることができ、取扱いが容易となる。
【００２１】
また、本発明は、出光用レンズと保安灯本体とを１回の樹脂成形によって一体成型することができるので、部品点数を削減することができ、構成が簡単となり、より一層のコストの低廉化を図ることができる。
【００２２】
また、本発明は、バリケードに横架されているパイプに保安灯本体の下面側の凹部を合わせるようにして保安灯本体を当接させ、緊締索をもって緊締することにより、保安灯本体をパイプに対して確実に不動状態にして装着することができる。
【発明を実施するための最良の形態】
【００２３】
以下、本発明の工事用保安灯の実施の形態を図面について説明する。
【００２４】
図１から図４は本発明の工事用保安灯の１実施形態を示す。
【００２５】
本実施形態の工事用保安灯１は、図１から図３に示すように、上部の略直方体状のケーシング部２ａと下部の取付け部２ｂとからなる保安灯本体２を備えており、取付け部材となるバリケード（図示せず）の横架されているパイプ３の上面部分に水平に固着されるように形成されている。
【００２６】
下部の取付け部２ｂの下面には、パイプ３の外直径とほぼ同等の断面円弧状の溝からなる凹部４が形成されている。凹部４は取付け部２ｂの肉抜きを兼ねて複数の平行なリブ５のみを長手方向に分配して起立させることにより形成されている。取付け部２ｂの長手方向両端部と中央部にはそれぞれ緊締索６を挿通する索保持部となる一対の透孔７が穿設されている。凹部４の円弧形状はパイプ３の太さに応じて異なるものを複数種類用意するとよい。緊締索６としては、如何なる構成のものでもよく、例えば、ケーブルを束ねる際に用いるしごき締めする緊締索を利用するとよい。
【００２７】
上部のケーシング部２ａは、内部の光を出光できるように透明性の樹脂をもって成形して形成されており、その正面および両側面には内部の光を集中させて出光させる合計５個の出光用レンズ８ａ〜８ｅが一体成形されている。図３に示すように、ケーシング２ａの下面には内部部品を内装させるためのほぼ矩形の透孔２ｃが開設されている。また、ケーシング２ａの上面には太陽電池９（図４参照）を形成する発電パネル９ａが固着されており、同ケーシング２ａの内部には蓄電部９ｂが内蔵されている。ケーシング２ａの内部には、更に発光ダイオード（ＬＥＤ）等からなる合計５個の発光体１０ａ〜１０ｅがそれぞれ出光用レンズ８ａ〜８ｅに対面させるようにして装着されている。蓄電部９ｂと発光体１０ａ〜１０ｅとの間には通電を制御して各発光体１０ａ〜１０ｅの発光状態を制御する発光制御部１１が設けられている。この発光制御部１１には日照の処置の明度を検知する光センサ１２と装置全体のＯＮ・ＯＦＦ用のスイッチ１３とが接続されている。また、発光制御部１１は、動作を制御するＣＰＵや各種の動作用ソフトを記憶するメモリや発光体１０ａ〜１０ｅへの通電を制御するパワートランジスタ等の部材を基板（ともに図示せず）に設けて形成されている。
【００２８】
下部の取付け部２ｂは樹脂の一体成形により形成されており、図３に示すように、上部のケーシング部２ａの下面に形成されている矩形の透孔２ｃ部分に図示しないクリック機構をもって装着されたり、ビスなどの固定具によって一層強固に固着される。また、ケーシング部２ａの背面側に内部部品を内装させるための透孔（図示せず）を開設させて、当該ケーシング部２ａと下部の取付け部２ｂとを一体的に樹脂成形して形成してもよい。
【００２９】
次ぎに、本実施形態の作用を説明する。
【００３０】
図１〜図３に示すようにして組立てた本実施形態の工事用保安灯１を、保安灯本体２の下部の取付け部２ｂの凹部４をバリケードのパイプ３の上面に合わせるように載せて、続いて取付け部２ｂの透孔７に挿通されている３本の緊締索６をそれぞれパイプ３に周回させて緊締する。これにより工事用保安灯１をバリケードのパイプ３に簡単に取付けることができる。特に、緊締索６を保安灯本体２の下面側の保持部となる透孔７に係合させて取付け部材となるパイプ３に緊締するという簡単な作業によって確実に不動状態にして取付けることができるために、如何なる場所にも自由に取付けて利用することができる。更に、従来例のような特別なクランプ部材を用いないで取付けることができるために、工事用保安灯１の全体構成が簡略化され、コストも低廉となる。
【００３１】
続いて、スイッチ１３をＯＮとさせると、保安灯本体２のケーシング２ａの上面に配設された太陽電池９の発電パネル９ａが太陽光を受けることにより発電し、電力を蓄電部９ｂに蓄電する。その後、夕刻になって所定の暗さになると光センサ１２が作動して信号を発光制御部１１に出力し、これを受けて発光制御部１１が太陽電池９の蓄電部９から各発光体１０ａ〜１０ｅに給電させて点滅発光させる。これらの発光体１０ａ〜１０ｅが発光するとその出光側に配置されている出光用レンズ８ａ〜８ｅによって収束された状態の光が外部に向けて出光される。
【００３２】
そして、これらの保安灯本体２の正面側および側面側に配設された出光用レンズ８ａ〜８ｅにより保安灯本体２の正面および側面の広い範囲において発光体１０ａ〜１０ｅから出光される点滅光を明瞭に視認することができ、安全性が非常に高くなる。翌朝に日照の明度が所定値になると、光センサ１２が作動して進行を発光制御部１１に出力して、各発光体１０ａ〜１０ｅに対する給電が停止され、その後は太陽電池９による蓄電が開始される。
【００３３】
このように本実施形態においては、保安灯本体２のケーシング２ａの上面に配設された発電パネル９ａによって太陽光を受けて十分な発電が行われて蓄電部９ｂに蓄電されるので、長期間に亘って発光体１０ａ〜１０ｅへの給電を行うことができ、従来の電池交換等のメンテナンスを不要とさせることができ、取扱いが容易となる。また、本実施形態においては、出光用レンズ８ａ〜８ｅと保安灯本体２とを１回の樹脂成形によって一体成型することができるので、部品点数を削減することができ、構成が簡単となり、より一層のコストの低廉化を図ることができる。
【００３４】
なお、本発明は、前述した実施形態に限定されるものではなく、必要に応じて種々の変更が可能である。例えば、保安灯本体２の下部の取付け部２ｂの下面に形成している円弧溝状の凹部４を取付け部２ｂの長手方向に加えて幅方向にも設けることによって、パイプ３に対する取付け方を自由に選択できるようにするとよい。更に、当該凹部４の断面形状を三角形として、パイプ３の太さ毎に対応した大きさの円弧を有する凹部４を設けないで、１種類の凹部４によりパイプ３に沿わせて取付けることができるようにしてもよい。
【図面の簡単な説明】
【００３５】
【図１】本発明の工事用保安灯の一実施形態を示す正面側からの斜視図
【図２】本実施形態の工事用保安灯を上下反転させた状態の斜視図
【図３】図１の３−３線に沿った断面図
【図４】本実施形態の内部構成を示すブロック図
【符号の説明】
【００３６】
１  工事用保安灯
２  保安灯本体
２ａ  ケーシング部
２ｂ  取付け部
３  パイプ
４  凹部
６  緊締索
７  透孔
８ａ〜８ｅ  出光用レンズ
９  太陽電池
９ａ  発電パネル
９ｂ  蓄電部
１０ａ〜１０ｅ  発光体
１１  発光制御部
【図１】
2006316428.tif 000003
【図２】
2006316428.tif 000004
【図３】
2006316428.tif 000005
【図４】
2006316428.tif 000006